(57)【要約】【課題】認証結果に基づいて使用の許可／不許可を設定するのではく、認証結果を有効に活用することができる画像形成装置を提供する。【解決手段】操作者を撮影するカメラ１９と、カメラにより撮影された操作者の顔を示す顔データが、予め操作者の顔を示す顔データを登録した顔データ保存部２ａに登録されている顔データを検索した結果に基づいて、登録者のものであるか否かを認証する認証部１８１と、認証部の認証結果によって登録者で無いと判断した場合、登録者でない者が実行できる所定の機能のみを制御するＣＰＵ１１及びメモリ１２などからなる制御部とを具備する。【選択図】図１
2006081147.tif 000002
【特許請求の範囲】
【請求項１】
操作者を撮影するカメラと、
前記カメラにより撮影された操作者の顔を示す顔データが、予め操作者の顔を示す顔データを登録した顔データ保存部に登録されている顔データを検索した結果に基づいて、登録者のものであるか否かを認証する認証部と、
前記認証部の認証結果によって登録者のもので無いと判断した場合、前記登録者でない者が実行できる所定の機能のみを制御する制御部とを具備することを特徴とする画像形成装置。
【請求項２】
前記所定の機能は、ハードコピー機能であることを特徴とする請求項１に記載の画像形成装置。
【請求項３】
表示器をさらに具備し、
前記制御部は、前記認証部が登録者であると認証できなかった場合は、前記登録者でない者が実行できる機能を設定する未登録者設定部の設定に基づいて、前記表示器にその内容を表示させる処理をすることを特徴とする請求項１に記載の画像形成装置。
【請求項４】
前記表示器は、タッチパネルであることを特徴とする請求項３に記載の画像形成装置。
【請求項５】
前記カメラで撮影された画像を示すデータに対してモーションキャプチャを行うモーションキャプチャ部と、
予め設定されたモーションを示すモーションデータを保存するモーションデータ保存部とをさらに具備し、
前記制御部は、スタンバイ状態のときに前記モーションキャプチャ部でキャプチャしたモーションが前記モーションデータ保存部に保存されたモーションデータが示すモーションと同一であると判定すると、ウォームアップを開始する処理を行うことを特徴とする請求項１に記載の画像形成装置。
【請求項６】
前記制御部は、さらに、動作状態のときに前記モーションキャプチャ部でキャプチャしたモーションが前記モーションデータ記憶部に記憶されたモーションデータが示すモーションと同一であると判定すると、スタンバイ状態へ遷移する処理を行うことを特徴とする請求項５に記載の画像形成装置。
【請求項７】
コントロールパネルと、
ネットワークを介して接続されたコンピュータと通信を行い、前記コンピュータの指示を前記コントロールパネルから受付けた後印刷を開始するプライベートプリントジョブ及びプリントジョブを前記コンピュータ装置から受信する通信部と、
前記受信したプライベートプリントジョブ及びプリントジョブを保存するジョブ保存部と、印刷を実行する印刷部とをさらに具備し、
前記制御部は、前記認証部により認証した登録者が、前記コンピュータの操作者と一致すると判断した後、前記コントロールパネルから前記指示を受付け、前記ジョブ保存部に保存したプライベートプリントジョブを前記印刷部で印刷を実行させる処理を行うことを特徴とする請求項１に記載の画像形成装置。
【請求項８】
前記制御部は、前記指示を受付けたときに、前記ジョブ保存部にプリントジョブが保存されていると、前記プライベートプリントをプリントジョブに優先して印刷させる処理を行うことを特徴とする請求項７に記載の画像形成装置。
【請求項９】
前記制御部は、前記指示を受付けたときに、プリントジョブが印刷されていると、前記プリントジョブに割り込んで前記プリベートプリントジョブを前記印刷部で印刷させる処理を行うことを特徴とする請求項７に記載の画像形成装置。
【請求項１０】
情報を報知する報知部と、
ネットワークを介して接続されたコンピュータと通信を行い、前記コンピュータの指示を前記コントロールパネルから受付けた後印刷を開始するプライベートプリントジョブを含むプリントジョブを前記コンピュータ装置から受信する通信部と、
前記受信したプリントジョブを保存するジョブ保存部とをさらに具備し、
前記制御部は、前記認証部により認証した登録者が、前記ジョブ保存部にプライベートプリントジョブが保存されているコンピュータの操作者と一致すると判断すると、前記報知部でプライベートプリントジョブが保存されていることを報知する処理を実行することを特徴とする請求項１に記載の画像形成装置。
【請求項１１】
排出された印刷物を載置する排紙部をさらに具備し、
前記カメラは、前記操作者を含んだ前記排紙部周辺を撮影することを特徴とする請求項１に記載の画像形成装置。
【請求項１２】
前記操作者の顔を示す顔データ及び前記認証部の認証結果を示すデータを含む認証結果データを保存する認証結果データ保存部をさらに具備することを特徴とする請求項１１に記載の画像形成装置。
【請求項１３】
前記ジョブ保存部に保存されたプリントジョブに関するログデータを保存するログデータ保存部をさらに具備し、
前記認証結果データは、前記ログデータと関連付けられていることを特徴とする請求項１２に記載の画像形成装置。
【請求項１４】
ネットワークを介して接続されたコンピュータと通信を行い、プリントジョブを前記コンピュータ装置から受信する通信部と、
前記通信部で受信したプリントジョブを保存するジョブ保存部と、
印刷を実行する印刷部とをさらに具備し、
前記制御部は、前記印刷部でプリントジョブの印刷を実行した後、前記認証部により認証した登録者が、前記ログデータに保存されたプリントジョブを送信したコンピュータ装置の操作者と異なっている場合に、前記コンピュータ装置へ、前記登録者の顔データを添付したメールを送信する処理を実行することを特徴とする請求項１３に記載の画像形成装置。
【請求項１５】
ネットワークを介して接続されたコンピュータと通信を行い、プリントジョブを前記コンピュータ装置から受信する通信部と、
前記通信部で受信したプリントジョブを保存するジョブ保存部と、
印刷を実行する印刷部と、時刻情報を生成する時刻情報生成部をさらに具備し、
前記制御部は、前記印刷部でプリントジョブの印刷を実行した後、前記時刻情報生成部で生成された時刻に基づいて一定時間が経過しても、前記プリントジョブのログデータと関連付けられる前記認証結果データに顔データが保存されないときは、前記プリントジョブを送信したコンピュータ装置にその旨を示すメールを送信する処理を実行することを特徴とする請求項１３に記載の画像形成装置。
【請求項１６】
カメラを有する画像形成装置の操作者を認証して特定の処理を行う処理方法は、操作者を撮影し、その撮影された操作者の顔を示す顔データが予め登録されている操作者の顔を示す顔データから検索し、その検索した結果に基づいて、登録者であるか否かを認証し、その認証結果によって登録者で無いと判断した場合に、前記登録者でない者が実行できる所定の機能のみを制御することを特徴とする処理方法。
【請求項１７】
前記所定の機能はハードコピーであることを特徴とする請求項１６に記載の処理方法。
【請求項１８】
カメラを有する画像形成装置に、
前記カメラで撮影された操作者の顔を示す顔データが、予め登録されている操作者の顔を示す顔データを検索させる機能、
検索した結果に基づいて、登録者であるか否かを認証させる機能、
前記認証結果によって登録者で無いと判断した場合、前記登録者でない者が実行できる所定の機能のみを制御させる機能を実現させるためのプログラム。
【請求項１９】
前記所定の機能はハードコピーであることを特徴とする請求項１８に記載のプログラム。
【発明の詳細な説明】
【技術分野】
【０００１】
本発明は、操作者を認証する認証部を有する画像形成装置に関する。
【背景技術】
【０００２】
現金、印鑑、カード、保険証、定期券等の携帯が一切不要であって、他人に知られて不正利用される恐れもない本人確認を行う方法が知られている（特許文献１参照。）。
【０００３】
また、ビデオカメラで電子装置のパワーアップを制御するための方法が知られている（例えば、特許文献２参照。）。
【特許文献１】特開平１１−１４４０６０号公報
【特許文献２】特表２００２−５０６２６５号公報
【発明の開示】
【発明が解決しようとする課題】
【０００４】
特許文献１に記載されたものは、体的には、登録者の顔、（又は、掌と顔でも良い。）を予め撮影しておき、各種商品の購入場所や利用施設等の窓口又は住居や機密施設の玄関等の確認場所で、被確認者の顔を撮影し、登録者と被確認者との顔を比較判断し、同一人物であると確認された場合のみ、現金の引出し、預金、商品の購入が可能となり、又は住居や利用施設への入場を許可する入場証等を発行する。
【０００５】
しかしながら、前記比較判断の結果、同一人物であると確認されなかった場合は、操作ができずに現金等の引出し等ができなくなり、又は入場証が発行されず施設等への入場ができなくなる。
【０００６】
また、コピー機能などを有する画像形成装置に上述のような認証部を具備したものが知られている。このような画像形成装置も、上記公報に記載されたものと同様に、認証部は使用の許可／不許可に用いられるものである。このため、認証ができない者に対しては、一切使用することができない。
【０００７】
本発明は上記事情に鑑みてなされたものであって、その目的は、認証部による認証結果に基づいて使用の許可／不許可を設定するのではく、認証部による認証結果を有効に活用することができる画像形成装置を提供することにある。
【課題を解決するための手段】
【０００８】
本発明は、操作者を撮影するカメラと、前記カメラにより撮影された操作者の顔を示す顔データが、予め操作者の顔を示す顔データを登録した顔データ保存部に登録されている顔データを検索した結果に基づいて、登録者のものであるか否かを認証する認証部と、前記認証部の認証結果によって登録者のもので無いと判断した場合、前記登録者でない者が実行できる所定の機能のみを制御する制御部とを具備する画像形成装置である。
【発明の効果】
【０００９】
本発明によると、認証部による認証結果に基づいて使用の許可／不許可を設定するのではく、認証部による認証結果を有効に活用することができる画像形成装置を提供できる。
【発明を実施するための最良の形態】
【００１０】
以下、本発明を、コピー機能、プリンタ機能、ネットワークスキャナ機能、ファックス機能等の各種機能を有するマルチ・ファンクション・ペリフェラルズ（ＭＦＰ）に適用した場合の各実施の形態について図面を参照しながら説明する。
【００１１】
（第１の実施の形態）
図１は、ＭＦＰ１の構成を概略的に示す図である。ＭＦＰ１は、制御部であるＣＰＵ１１、メモリ１２、リアル・タイム・クロック（ＲＴＣ）１３、ハード・ディスク・ドライブ（ＨＤＤ）１４、コントロールパネル１５、スキャン部１６、印刷部１７、個人特定認証部１８、カメラ１９、通信部２０、インタフェース（Ｉ／Ｆ）２１、インタフェース（Ｉ／Ｆ）２２、排紙トレーＴ等を有している。なお、ＣＰＵ１１と、メモリ１２、リアル・タイム・クロック（ＲＴＣ１３）、ＨＤＤ１４、コントロールパネル１５、スキャン部１６、印刷部１７、個人特定認証部１８、通信部２０、Ｉ／Ｆ２１、Ｉ／Ｆ２２とはバスライン２３を介して接続されている。また、Ｉ／Ｆ２２は、ローカルエリアネットワーク（ＬＡＮ）２４を介してデータサーバ２、ポータルサーバ３、パーソナル・コンピュータ（ＰＣ）４と接続されている。
【００１２】
ＣＰＵ１１は、メモリ１２に記憶された制御プログラムを実行することにより、ＭＦＰ１を総括的に制御する。また、メモリ１２の所定のエリアは、ＣＰＵ１１が制御プログラムを実行するときのワークエリアとなっている。ＲＴＣ１３は、現在時刻情報を生成する。
【００１３】
ＨＤＤ１４は、ログデータを保存するログデータ保存部１４１、認証結果データを保存する認証結果データ保存部１４２、外部から通信部２０を介して受信したプリントジョブ等を保存するジョブ保存部１４３等を有し、これらのデータの他にも各種データを保存する。ログデータは、操作者が種々の操作を行ったときにその内容を記録するものである。ログデータは、具体的には、操作者ＩＤ、コピー、スキャン等の処理内容を示す作業データ、その日時データ等である。また、このログデータには、図４を参照して後述する顔認証処理を行ったときは、カメラ１９により撮影したデータから取得した顔データも関連付けて保存される。また、認証結果データ保存部１４２は、図２２を参照して後述する顔認証処理を行ったとき認証結果を示す認証結果データを保存する。認証結果データは、具体的には、操作者ＩＤ、排紙トレーに印刷物を取りに来た人物の顔データ、その日時データである。また、この認証結果データが認証結果データ保存部に保存されるときは、ログデータと関連付けられて保存されるようになっている。なお、ログデータ保存部１４１、認証結果データ保存部１４２は、ＭＦＰ１内でなくてもＬＡＮ２４に接続された外部装置、例えば、データサーバ２に設けるように構成しても良い。
【００１４】
コントロールパネル１５は、大型ディスプレイタイプのタッチパネルである。操作者に必要な情報を表示するとともに、操作者からの指示を受付ける。
【００１５】
スキャン部１６は、図示しない原稿台に載置された原稿やオート・ドキュメント・フィーダ（ＡＤＦ）から連続的に送られる複数枚の原稿から画像を読取り、画像データを生成する。スキャナの画像データを読取る構成及び動作については、従来からあるものと同様であるため説明は省略する。
【００１６】
印刷部１７は、ＨＤＤ１４のジョブ保存部１４３に保存されたプリントジョブ等のプリントデータがバッファ１７１に転送されると、そのプリントデータに基づいて、１ページごとに印刷を行う。印刷部１７は、例えば、インクジェット方式によるものや電子写真方式によるものがある。このように印刷が行われた印刷物は、排紙トレーＴ上に排紙される。この印刷部１７のプリントデータに基づく画像形成を行う構成及び動作については、従来からあるものと同様であるため説明は省略する。
【００１７】
個人特定認証部１８は、認証部１８１、モーションキャプチャ部１８２、モーションデータ保存部１８３とを有している。認証部１８１はカメラ１９により撮影されたデータから顔を示す顔データをデータサーバ２へ送信し、その顔データに基づいて操作者ＩＤを受信することにより操作者として登録されている者であるか否かを認証する顔認証機能を実現するための制御プログラムが保存されている。モーションキャプチャ部１８２はカメラ１９で撮影された画像が示すデータに対してモーションキャプチャを行うモーションキャプチャ機能を実現するための制御プログラムが保存されている。モーションデータ保存部１８３は、予め設定されたモーションを示すモーションデータを保存する。この予め定められたモーションは、例えば、人が手を振るジェスチャーである。しかし、これに限られず、人がカメラ１９方向に近づくという動作でも良いし、また、手話を用いた特定の動作でも良い。なお、人がＭＦＰ１に対して近づくという動作は、目線がカメラ１９の方向に向いていることを示すものである。また、モーションデータ保存部１８３に保存されるモーションデータは、１種類でなくても、複数種類のモーションデータを保存するように構成しても良い。
【００１８】
カメラ１９は、例えば、ビデオカメラであり、印刷した印刷物を排紙する排紙トレー付近を含むＭＦＰ１の周辺を常時撮影する。
【００１９】
通信部２０は、Ｉ／Ｆ２１、Ｉ／Ｆ２２に接続された外部装置との通信を制御する。Ｉ／Ｆ２１はパブリック・スウィッチド・テレフォン・ネットワーク（ＰＳＴＮ）と接続するためのインタフェースであり、ファクシミリ通信を行うときに用いられる。Ｉ／Ｆ２２は、ＬＡＮ２４を介して接続されたデータサーバ２、ポータルサーバ３、ＰＣ４と通信を行うときに用いられる。
【００２０】
データサーバ２は、操作者の顔を示す顔データを保存する顔データ保存部２ａを設けている。このようにＭＦＰ１の操作者に対して予め顔データをデータサーバ２に登録しておく。この顔データ保存部２ａには、顔データだけでなく図２に示すように、各操作者の顔データと、操作者ＩＤと、操作者名を示す操作者名データとが関連付けられて保存されている。また、顔データ無し（すなわち、未登録者）の場合は、「認証不可」が操作者ＩＤとなり、操作者名データは「無し」となるデータが保存されている。
【００２１】
データサーバ２は、ＭＦＰ１から顔データを受信すると、顔データ保存部２ａ内に保存された顔データから、一致する顔データを検索し、その顔データに関連付けられた操作者ＩＤ、操作者名データをＭＦＰ１に送信する。また、データサーバ２は、一致する顔データが検索できなかったときは、操作者ＩＤとして「認証不可」、操作者名データとして「無し」をＭＦＰ１に送信する。
【００２２】
なお、顔データ保存部２ａは、ＭＦＰ１内に設けるように構成するとともに、データサーバ２が行う顔データを検索する処理をＭＦＰ１が行うように構成しても良い。
【００２３】
ポータルサーバ３は、ポータルデータを保存する登録者設定部３ａと未登録者設定部３ｂとを有している。登録者設定部３ａは、登録した操作者毎にコントロールパネル１５に表示する機能の設定をポータルデータとして保存する。未登録者設定部３ｂは、操作者としてデータサーバ２の顔データ保存部２ａに登録していない操作者に対してタッチパネルに表示する機能の設定をポータルデータとして保存する。図３に示すように、操作者として顔データを顔データ保存部２ａに登録している登録者に対しては、操作者ＩＤに関連付けられて各ボタンに表示する機能が割当てられている。また、操作者として顔データを顔データ保存部２ａに登録していない未登録者に対しては、操作者ＩＤとなる「認証不可」に関連付けてボタン１にコピー機能が割当てられている。すなわち、未登録者に対しては、コピー機能のみが実行できる設定となっている。なお、この認証不可の場合にボタンに割当てる設定は、ＭＦＰ１の管理者によってカスタマイズすることが可能となっている。すなわち、管理者、ＭＦＰ１の設置場所、時間等に応じて、コピー機能の制限、スキャン機能の制限、プリント機能の制限等の各種機能の制限を自由に設定することが可能である。
【００２４】
ポータルサーバ３は、ＭＦＰ１から操作者ＩＤを受信すると、登録者設定部３ａ、未登録者設定部３ｂから一致する操作者ＩＤを検索し、その検索したＩＤと関連付けられたポータルデータをＭＦＰ１へ送信する。
【００２５】
なお、登録者設定部３ａ、未登録者設定部３ｂは、ＭＦＰ１内に設けるように構成するとともに、ポータルサーバ３が行う操作者ＩＤを検索する処理をＭＦＰ１が行うように構成しても良い。
【００２６】
続いて、操作者がスタンバイ状態にあるＭＦＰ１を操作するときに、ＭＦＰ１のＣＰＵ１１が実行する処理について図４を参照して説明する。なお、ＭＦＰ１は、スタンバイ状態のときは、コントロールパネル１５に、カメラ１９に映るように移動することを操作者に促すためのメッセージを表示している（図６，図１１）。
【００２７】
ＣＰＵ１１は、カメラ１９が撮影したデータをキャプチャ機能によりキャプチャして、モーションデータ保存部１８３に保存されたモーションと同じモーションが行われたか否かを判断する（ＳＴ１０１）。ＣＰＵ１１は、この判断でＮＯならスタンバイ状態を続行し、ＹＥＳならＭＦＰ１をウォームアップしてスタンバイ状態から復帰する（ＳＴ１０２）。そして、ＣＰＵ１１は、顔認証処理を開始したことをコントロールパネル１５に表示し（ＳＴ１０３，図７，図１２）、カメラ１９が撮影したデータから操作者の顔データを取得し（ＳＴ１０４）、写真等のデータではなく人物のデータであるか否かを判断する（ＳＴ１０５）。ＣＰＵ１１はこの判断でＮＯなら再びＭＦＰ１をスタンバイ状態へ遷移し、ＹＥＳなら取得した顔データをデータサーバ２へ送信し（ＳＴ１０６）、データサーバ２から操作者ＩＤ、操作者名データを取得する（ＳＴ１０７）。ＣＰＵ１１は、取得した操作者名データに基づいて、コントロールパネル１５への表示を行う（ＳＴ１０８，図８，図１３）。また、ＣＰＵ１１は、この取得した操作者ＩＤをポータルサーバ３へ送信し（ＳＴ１０９）、ポータルサーバ３から操作者ＩＤに関連付けられたポータルデータを取得する（ＳＴ１１０）。ＣＰＵ１１は、取得したポータルデータに基づいて、コントロールパネル１５の表示を制御する（ＳＴ１１１，図９，図１４）。そして、ＣＰＵ１１は、操作者から表示した機能の実行が指示されるとその機能を実行し（ＳＴ１１２）、操作者ＩＤ、顔データ、作業データ、日時データをＨＤＤ１４のログデータ保存部１４１に保存する（ＳＴ１１３）。続いて、ＣＰＵ１１は、カメラ１９が撮影したデータをキャプチャして、前記所定のモーションが行われたか否かを判断する（ＳＴ１１４）。ＣＰＵ１１は、ＹＥＳと判断するまでこの状態を続行し、ＹＥＳと判断したら、コントロールパネル１５への表示を解除し、スタンバイ状態時のメッセージをコントロールパネル１５へ表示し（ＳＴ１１５，図６）、ＭＦＰ１をスタンバイ状態へ遷移する。
【００２８】
続いて、登録している操作者Ａ（操作者ＩＤは、「ＡＡ」である。）が図５に示すように、手を上げる動作を行って、操作を行う場合の作用を図５から図９を参照して説明する。この場合、モーションデータ保存部１８３に、少なくても所定の動作として手を上げるジェスチャーを示すモーションデータが保存されている。
【００２９】
ＭＦＰ１は、待機状態においては、図６に示すように、コントロールパネル１５に「カメラ１９の前に立ってください。」というメッセージが表示されている。操作者Ａは、このスタンバイ状態のＭＦＰ１に対して（カメラ１９に向けて）手を上げる。すると、ＭＦＰ１は、人物が手を上げる動作を行ったことを検知し、ウォームアップを開始しスタンバイ状態から復帰する。そして、ＭＦＰ１はカメラ１９に映る操作者Ａの顔認証を開始する。このとき図７に示すように、コントロールパネル１５に「認証中」のメッセージが表示される。ＭＦＰ１は、カメラ１９で撮影している操作者Ａの顔データを取得し、その顔データが人物である（写真等から得られたデータではない）ことを確認する。そして、ＭＦＰ１は、顔データをデータサーバ２に送信する。データサーバ２は、ＭＦＰ１から送信された顔データと一致する顔データを内部に登録してある顔データから検索する。操作者Ａは登録者であるため、一致する顔データが検索される。そして、データサーバ２は、検索された顔データに関連づけられた操作者ＩＤ「ＡＡ」及び操作者名データ「Ａ」をＭＦＰ１へ送信する。ＭＦＰ１は、操作者ＩＤ、操作者名データを受信すると、操作者ＩＤ「ＡＡ」を今度はポータルサーバ３へ送信する。このとき、図８に示すように、コントロールパネル１５に、操作者名データ「Ａ」に基づいて、「Ａさん、こんにちは」が表示される。ポータルサーバ３は、操作者ＩＤ「ＡＡ」に設定されたコントロールパネル１５に表示する機能の設定をしたポータルデータをＭＦＰ１へ送信する。このポータルデータは、上述した図３に示すように、ボタン１にコピー、ボタン２にスキャン、ボタン３にプライベートプリントを設定するデータである。ＭＦＰ１は、受信したポータルデータに基づいて、図９に示すように、コントロールパネル１５に「コピー」、「スキャン」、「プライベートプリント」を表示する。操作者Ａは、例えば、コピーを行う場合には、コピーをタッチし、その後表示されるメニューに従って、所望のコピーを実行する。この作業は、ログデータとして保存される。このように操作を行った後、操作者Ａは、カメラ１９に対して手を上げる。すると、ＭＦＰ１は、コントロールパネル１５の操作者Ａに応じた表示を解除し、スタンバイ状態時のメッセージを表示し、スタンバイ状態となる。
【００３０】
さらに、登録していない操作者Ｘ（操作者ＩＤは、「認証不可」である。）が図１０に示すように、ＭＦＰ１のカメラ１９方向に近づき、操作を行う場合の作用を図１１から図１４を参照して説明する。この場合、モーションデータ保存部１８３に、少なくともスタンバイ状態から復帰するための所定の動作として人が近づくという動作を示すモーションデータと、スタンバイ状態へ遷移するための所定の動作として人が遠ざかっていくという動作を示すモーションデータが保存されている。
【００３１】
ＭＦＰ１は、待機状態においては、図１１に示すように、コントロールパネル１５に「カメラ１９の前に立ってください。」というメッセージが表示されている。操作者Ｘは、このスタンバイ状態のＭＦＰ１に対して（カメラ１９に向けて）近づく。すると、ＭＦＰ１は、人物が近づいてきたことを検知し、ウォームアップを開始しスタンバイ状態から復帰する。そして、ＭＦＰ１はカメラ１９に映る操作者Ｘの顔認証を開始する。このとき図１２に示すように、コントロールパネル１５に「認証中」のメッセージが表示される。ＭＦＰ１は、カメラ１９で撮影している操作者Ｘの顔データを取得し、その顔データが人物である（写真等から得られたデータではない）ことを確認する。そして、ＭＦＰ１は、顔データをデータサーバ２に送信する。データサーバ２は、ＭＦＰ１から送信された顔データと一致する顔データを内部に登録してある顔データから検索する。操作者Ｘは登録者でないため、一致する顔データが検索されない。このため、データサーバ２は、顔データ無しに関連づけられた操作者ＩＤ「認証不可」及び操作者名データ「無し」をＭＦＰ１へ送信する。ＭＦＰ１は、操作者ＩＤ、操作者名データを受信すると、操作者ＩＤ「認証不可」を今度はポータルサーバ３へ送信する。このとき、図１３に示すように、コントロールパネル１５に、操作者名データ「無し」に基づいて、「認証不能のためデフォルトモードになります。」が表示される。ポータルサーバ３は、操作者ＩＤ「認証不可」に設定されたコントロールパネル１５に表示する機能の設定をしたポータルデータをＭＦＰ１へ送信する。このポータルデータは、上述した図３に示すように、ボタン１にコピーを設定するデータである。ＭＦＰ１は、受信したポータルデータに基づいて、図１４に示すように、コントロールパネル１５に「コピー」を表示する。
【００３２】
操作者Ｘは、例えば、スキャン機能を利用したかったが、未登録者であるためスキャンを行うことができない。そこで、やむなく、操作者Ｘは、コピーボタンをタッチし、その後表示されるメニューに従ってコピーを実行する。すると、ＭＦＰ１は、この作業を、ログデータとして保存する。このように、操作を行った後、操作者Ｘは、カメラ１９に対して遠ざかっていく。すると、ＭＦＰ１は、コントロールパネル１５の操作者Ｘに応じた表示を解除し、スタンバイ状態時のメッセージを表示し、スタンバイ状態となる。
【００３３】
また、例えば操作者Ｘは、コピー機能を利用せずに、ＭＦＰ１から遠ざかっていく。この場合は、ＭＦＰ１は、ログデータとして保存しない。そして、ＭＦＰ１は、コントロールパネル１５の操作者Ｘに応じた表示を解除し、スタンバイ状態時のメッセージを表示し、スタンバイ状態となる。
【００３４】
この実施の形態のＭＦＰ１によると、所定のモーションを検知することにより操作者を認証し、その認証した操作者に対して予めカスタマイズされた設定となるようにコントロールパネル１５の表示を行うことができ、アクセシビリティを向上できる。
【００３５】
また、ＭＦＰ１は、登録されていない操作者に対しても、予め管理者により設定された機能は利用できるようになる。このため、ＭＦＰ１の機能のうち、セキュリティ上の観点等を考慮した上で未登録者に使用させても良い機能の場合は、未登録者がその機能を使用できるようになる。このため、ＭＦＰ１は登録者であることが認証できなかった場合に一切機能が使えなくなる場合と比較すると、認証部１８１による認証結果を有効に活用することができる。
【００３６】
（第２の実施の形態）
次に、第２の実施の形態について述べる。なお、前述した第１の実施の形態と同一の部分には同一の符号を付し詳細な説明は省略する。
【００３７】
この第２の実施の形態は、前述のＭＦＰ１がＰＣ４からプライベートプリントジョブを受信し、そのＰＣ４の操作者であることを認証部１８１により認証した後、コントロールパネル１５から指示を受付けて、前記プライベートプリントジョブを実行する場合である。以下、複数のジョブを受信した後、プライベートプリントジョブを受信したときに、ＣＰＵ１１が実行する処理について図１５を参照して、説明する。
【００３８】
ＣＰＵ１１は、ＬＡＮ２４に接続された例えば、ＰＣ４ａ，ＰＣ４ｂ，ＰＣ４ｃ，ＰＣ４ｄからそれぞれプリントジョブをこの順で受付けると、各プリントジョブを、一旦、ＨＤＤ１４のジョブ保存部１４３に保存する（ＳＴ２０１）。そして、ＣＰＵ１１は、ジョブ保存部１４３に保存した順に従って、印刷準備を行う（ＳＴ２０２）。すなわち、ＨＤＤ１４に最初に保存したＰＣ４ａから送信されたプリントジョブを、印刷部１７内のバッファ１７１に転送する。そして、ＣＰＵ１１は、印刷部１７を動作させてバッファ１７１に転送されたプリントデータの印刷を実行する（ＳＴ２０３）。そして、ＣＰＵ１１は、ＰＣ４ｅからプライベートプリントジョブを受付け、ジョブ保存部１４３に保存する（ＳＴ２０４）。そして、ＣＰＵ１１は、ＰＣ４ｅの操作者である操作者Ｅの例えば、手を上げる動作である所定の動作を、モーションキャプチャ機能により確認すると（ＳＴ２０５）、上述したステップＳＴ１０３からＳＴ１０７と同様に、顔認証処理を行う。この顔認証処理によりキャプチャした人物の操作者ＩＤ等を取得する（ＳＴ２０６）。ＣＰＵ１１は、取得した操作者ＩＤと、バッファ１７１内に保存されているプライベートプリントジョブを送信したＰＣ４ｅに対応付けられた操作者ＩＤと一致するものがあるか否かを判断する（ＳＴ２０７）。ＰＣ４ｅに対応付けられた操作者ＩＤは、例えば、プライベートプリントジョブのヘッダ部分から取得する。ＣＰＵ１１は、ＮＯと判断すると、プライベートプリントジョブを送信した者でないためＳＴ２１０の処理進む。ＣＰＵ１１は、ＹＥＳと判断するとジョブ保存部１４３に保存したプライベートプリントジョブを、印刷部１７内のバッファ１７１に、他のプリントジョブに優先して、転送する（ＳＴ２０８）。続いて、ＣＰＵ１１は、コントロールパネル１５からプライベートプリントを印刷する指示を受付けたか否かを判断する（ＳＴ２０９）。ＣＰＵ１１は、ＮＯと判断すると通常の順序にしたがって印刷を実行し（ＳＴ２１０）、ＹＥＳと判断すると変更された順序に従って印刷を実行する（ＳＴ２１１）。
【００３９】
すなわち、図１６に示すように、プライベートプリントジョブが優先して印刷されないときは、ジョブ保存部１４３からバッファ１７１にプリントジョブ及びプライベートプリントジョブが受信した順序に従って転送される。なお、ジョブ保存部１４３の「Ａ」，「Ｂ」，「Ｃ」，「Ｄ」は操作者Ａ，Ｂ，Ｃ，Ｄから送信されたプリントジョブを示し、「Ｅ」は、操作者Ｅから送信されたプライベートプリントジョブを示している。また、図１７に示すように、プライベートプリントジョブが優先して印刷されるときは、ジョブ保存部１４３からバッファ１７１にプリントジョブ及びプライベートプリントジョブが変更された順序に従って転送される。
【００４０】
ＰＣ４ｅからプライベートプリントジョブが送信されているＭＦＰ１は、人物が手を上げる動作を検知することにより操作者を認証し、その認証した操作者Ｅと前記ＰＣ４ｅの操作者Ｅとが一致することを判断した後、コントロールパネル１５から印刷の指示を受付けた場合に、プライベートプリントジョブのプリントを実行する。このように、ＭＦＰ１は顔認証を行う構成を有しているため、操作者は、他人にプライベートプリントジョブが印刷され、その内容を見られてしまうことを確実に防止できる。
【００４１】
また、ＭＦＰ１は、他のプリントジョブがジョブ保存部１４３に保存されていても、プライベートプリントを優先して印刷する構成を有しているため、操作者のアクセシビリティを向上できる。
【００４２】
次に、図１８を参照して、ＭＦＰ１がプライベートプリントの割り込み処理を行う場合を説明する。この処理は、図１５で説明したステップＳＴ２１１の処理に換えて、ステップＳＴ３０１からＳＴ３０３の処理を行うように構成されている。
【００４３】
ＣＰＵ１１は、プライベートプリント印刷の指示を受付けると（ＳＴ２０９でＹＥＳ）、印刷を実行しているＰＣ４ａから送信されたプリントジョブの印刷を途中でストップする（ＳＴ３０１）。そして、ＣＰＵ１１は、ＰＣ４ｅから送信されたプライベートプリントジョブの印刷を実行する（ＳＴ３０２）。ＣＰＵ１１は、前記プライベートプリントジョブの印刷が終了すると、途中でストップした次のページからＰＣ４ａから送信されたプリントジョブの印刷を再開し、このプリントジョブの印刷終了後、順序に従って他のプリントジョブを印刷する（ＳＴ３０３）。
【００４４】
このように、ＭＦＰ１がプライベートプリントを印刷するときに、割り込み処理を可能とすることにより、さらに操作者のアクセシビリティを向上できる。
【００４５】
またＭＦＰ１は、プライベートプリントジョブを受信した後一定時間が経過しても、その印刷の実行が指示されない場合がある。例えば、操作者ＥがＰＣ４ｅからプライベートプリントジョブを送信したことを忘れてしまった場合等である。以下、ジョブ保存部１４３に操作者Ｅが送信したプライベートプリントジョブが保存されている場合に、ＣＰＵ１１が実行する処理について図１９を参照して説明する。
【００４６】
図１９は、上述したステップＳＴ２０７でＹＥＳと判断された後、ステップＳＴ２０８の処理へ進む前に行う処理を示すフローチャートである。ＣＰＵ１１は、操作者ＩＤに対応したプライベートプリントジョブがジョブ保存部１４３に保存されている時間が、予め定められた時間を経過しているか否かを、例えば、プライベートプリントジョブを受信した日時を示すデータをメモリ１２にプライベートプリントジョブが実行されるまで一時的に保存しておき、そのデータとＲＴＣ１３が生成する現在時刻情報とに基づいて判断する（ＳＴ４０１）。この予め定められた時間は、ＭＦＰ１の管理者が、自由に設定できるものである。ＣＰＵ１１は、ＹＥＳと判断すると、コントロールパネル１５の表示を利用してプライベートプリントジョブが保存されたまま印刷されていないことを報知する（ＳＴ４０２）。この報知の方法は、例えば、図２０に示すように、コントロールパネル１５に、「!Caution! ××さんの○月○日17:03に預かった印刷はまだされていません。」というメッセージを表示して行っても良いし、コントロールパネル１５を予め定められた方法の表示、図２１に示すように、点滅表示して行っても良い。また、ＭＦＰ１に音声出力部を設けている場合には音声によって、又はブザーを設けている場合にはブザー音によって報知しても良い。さらに、例えば、「プライベートジョブが保存されています」などのワードをＭＦＰ１に印刷しておき、そのワードの近くに発光ダイオードを設け、その発光ダイオードを発光させることにより報知するようにしても良い。
【００４７】
このように構成すると、プライベートプリントをＭＦＰ１へ送信したことを忘れてしまった操作者は、何等かの機会にＭＦＰ１を使用するときに、プライベートプリントジョブが保存されていることを知ることができる。
【００４８】
（第３の実施の形態）
次に、第３の実施の形態について述べる。なお、前述した第１の実施の形態と同一の部分には同一の符号を付し詳細な説明は省略する。
【００４９】
この第３の実施の形態は、上述のＭＦＰ１が印刷物を取りにきた人物を認証した結果を認証結果データとして認証結果データ保存部１４２に保存するとともに、プリントジョブを送信した操作者と印刷物を取りに来た人物が異なる場合にプリントジョブを送信した操作者宛にメールを送信する場合について説明する。また、モーションデータ保存部１８３には、ＭＦＰ１に近づいてくる人の動作を示すデータが所定の動作として保存されている。さらにカメラ１９は、排紙部である排紙トレーＴを含むＭＦＰ１の周辺を撮影するように配置されている。
【００５０】
以下、排紙トレーＴに印刷物が載置されている場合に、ＣＰＵ１１が実行する処理を図２２を参照して説明する。
【００５１】
ＣＰＵ１１は、カメラ１９が撮影したデータをキャプチャ機能を用いてキャプチャして、人物が近づいてくるか否かを判断する（ＳＴ５０１）。ＣＰＵ１１はＹＥＳと判断すると上述したステップＳＴ１０３からＳＴ１０７と同様に顔認証処理を行い、キャプチャした人物の操作者ＩＤ等を取得する（ＳＴ５０２）。そして、ＣＰＵ１１は、取得した操作者ＩＤから登録者であるか否かを、例えば、取得した操作者ＩＤが、「認証不可」であるか否かに基づいて、判断する（ＳＴ５０３）。ＣＰＵ１１は、ＹＥＳと判断すると、その登録者を印刷物を取りに来た人物と特定し（ＳＴ５０４）、その人物が排紙トレーＴに近づいたか否かを判断する（ＳＴ５０５）。ＣＰＵ１１は、ＮＯと判断すると印刷物を取りにきた人ではないため処理を終了する。ＣＰＵ１１はＹＥＳと判断すると、続いて、その人物の操作者ＩＤと、プリントジョブのログデータとに基づいて照合処理を行う（ＳＴ５０６）。この照合処理は、ログデータとしてログデータ保存部１４１に保存されている所定数（数件程度）又は所定時間内のプリントジョブに対応する操作者ＩＤに、前記人物の操作者ＩＤがあるか否かを照合する処理である。そして、ＣＰＵ１１は、照合処理の結果を参照して、照合した操作者ＩＤはあるか否かを判断する（ＳＴ５０７）。ＣＰＵ１１はＹＥＳと判断すると、顔認証処理に用いた顔データを印刷物を取りに来た人物としてログデータと関連づけて、日時データ、操作者ＩＤとともに認証結果データ保存部１４２に保存する（ＳＴ５０８）。ステップＳＴ５０７において、ＣＰＵ１１は、ＮＯと判断すると、前記照合処理に用いたプリントジョブの送信元のＰＣ４へ、印刷物を取りに来た人物であることを記述したメールを顔認証処理に用いた顔データを添付して送信する（ＳＴ５０９）。なお、自動的にメールを作成する機能については、従来からあるものなので説明は省略する。また、メールでなくてもポップ画面がＰＣ４に表示されるようにしても良い。そして、前述したステップＳＴ５０８の処理へ進む。
【００５２】
一方、ステップＳＴ５０３において、ＣＰＵ１１はＮＯと判断すると、人物は認証不能な人物であると特定し（ＳＴ５１０）、その人物が排紙トレーに近づいたか否かを判断する（ＳＴ５１１）。ＣＰＵ１１は、ＮＯと判断すると印刷物を取りに来た人ではないため処理を終了する。ＣＰＵ１１はＹＥＳと判断すると、ログデータとしてログデータ保存部１４１に保存されている所定数（数件程度）又は所定時間内のプリントジョブを送信したＰＣ４へ、印刷物を取りに来た人物であることを記述したメールを顔認証処理に用いた顔データを添付して送信する（ＳＴ５１２）。そして、前述したステップＳＴ５０８の処理へ進む。
【００５３】
したがって、ＭＦＰ１は、顔認証処理を行うことにより、排紙トレーＴに印刷物を取りに来た人物の顔データ、その日時データ、操作者ＩＤをログデータと関連付けて認証結果データとして保存することができる。この認証結果データをＭＦＰ１の管理者が確認することにより、印刷物を取りにきた人を確認し、不正に印刷物を取りに来た人物がいたら、顔データによりその人物を特定することができる。これにより、不正に印刷物を持っていく者に対する抑止効果が得られる。
【００５４】
なお、メールとしてＰＣ４に通知するような構成としなくても、認証結果データとして認証結果データ保存部１４２に保存されているため、印刷物を取りに来たときに、自分の印刷物が無い場合には、コントロールパネル１５に認証結果データを表示させることができる。このため、同様に、不正に印刷物を持っていく者に対する抑止効果が得られる。
【００５５】
また、ＭＦＰ１は、プリントジョブを送信した操作者と印刷物を取りに来た人物が異なる場合に、ログデータとしてログデータ保存部１４１に保存されている所定数（数件程度）又は所定時間内のプリントジョブを送信したＰＣ４へ、メールを印刷物を取りにきた人物がいることを顔データを添付して送信できる。これにより、印刷物を取りにいっていない操作者は、誰が印刷物を取りにきたのかを知ることができる。
【００５６】
また、このような構成のＭＦＰ１は図２３に示す処理を行うことも可能である。図２３は、印刷物を取りにこない操作者にメールを送信する処理を示すフローチャートである。
【００５７】
ＣＰＵ１１は、予め設定された一定時間を経過したか否かを判断する（ＳＴ６０１）。前記一定時間を経過したと判断すると、ＣＰＵ１１は、ログデータ保存部１４１のログデータ及び認証結果データ保存部１４２の認証結果データから、印刷物を取りにきていない操作者がいるか否かを判断する（ＳＴ６０２）。この判断は、例えば、ログデータ保存部１４１に保存したプリントジョブのログデータと関連付けられた認証結果データ保存部１４２のデータに、顔データが保存されていないものがあるか否かを判断することにより行う。ＣＰＵ１１は、ＮＯと判断すると処理を終了する。ＣＰＵ１１はＹＥＳと判断すると「印刷物を取りに来て下さい。」というメッセージを記述したメールを、ステップＳＴ６０２で印刷物を取りにこないと判断された操作者のＰＣ４へ送信する。これにより、メールが送信された操作者は、印刷物をまだ取りに行っていないことを知ることができる。
【００５８】
なお、本実施の形態では、本発明をＭＦＰ１に適用した場合で説明したが、プリンタについても勿論適用できるものである。
【００５９】
本実施の形態では装置内部に発明を実施する機能が予め記録されている場合で説明したが、これに限らず同様の機能をネットワークから装置にダウンロードしても良いし、同様の機能を記録媒体に記憶させたものを装置にインストールしても良い。記録媒体としては、ＣＤ−ＲＯＭ等プログラムを記憶でき、かつ、装置が読取り可能な記録媒体であれば、その形態は何れの形態であっても良い。またこのように、予めインストールやダウンロードにより得る機能は装置内部のオペレーティングシステム（ＯＳ）等と協同してその機能を実現させるものであっても良い。
【００６０】
なお、本発明は、上述した実施の形態そのままに限定されるものではなく、実施段階ではその要旨を逸脱しない範囲で構成要素を変形して具体化でき、また、実施の形態に開示されている複数の構成要素の適宜な組み合わせにより種々の発明を変形できるものである。
【図面の簡単な説明】
【００６１】
【図１】本発明の実施の形態におけるＭＦＰの構成を概略的に示す図。
【図２】同実施の形態におけるデータサーバに保存される内容を示すテーブルを示す図。
【図３】同実施の形態におけるポータルサーバに保存される内容を示すテーブルを示す図。
【図４】同実施の形態におけるＣＰＵが実行する処理の流れを示すフローチャート。
【図５】同実施の形態におけるＭＦＰのカメラに操作者がジェスチャーをするイメージを示す図。
【図６】同実施の形態におけるコントロールパネルの表示の一例を示す図。
【図７】同実施の形態におけるコントロールパネルの表示の一例を示す図。
【図８】同実施の形態におけるコントロールパネルの表示の一例を示す図。
【図９】同実施の形態におけるコントロールパネルの表示の一例を示す図。
【図１０】同実施の形態におけるＭＦＰのカメラに操作者が向かってくる様子のイメージを示す図。
【図１１】同実施の形態におけるコントロールパネルの表示の一例を示す図。
【図１２】同実施の形態におけるコントロールパネルの表示の一例を示す図。
【図１３】同実施の形態におけるコントロールパネルの表示の一例を示す図。
【図１４】同実施の形態におけるコントロールパネルの表示の一例を示す図。
【図１５】本発明の第２の実施の形態におけるＣＰＵが実行する処理の流れを示すフローチャート。
【図１６】同実施の形態における通常のプリントの順番を示す図。
【図１７】同実施の形態におけるプライベートプリントを優先するときのプリントの順番を示す図。
【図１８】同実施の形態におけるＣＰＵが実行する他の処理の流れを示すフローチャート。
【図１９】同実施の形態における操作者に取りに来ていない印刷物があることを報知する処理を示すフローチャート。
【図２０】同実施の形態におけるコントロールパネルに表示したメッセージを示す図。
【図２１】同実施の形態におけるコントロールパネルの点滅表示を示す図。
【図２２】同実施の形態における履歴データを保存するとともにメールを送信するときに、ＣＰＵが実行する処理を示すフローチャート。
【図２３】同実施の形態における印刷物を取りにこない操作者にメールを送信する処理を示すフローチャート。
【符号の説明】
【００６２】
１…ＭＦＰ，２…データサーバ，２ａ…顔データ保存部，３ｂ…未登録者設定部，１３…リアル・タイム・クロック，１４…ハード・ディスク・ドライブ，１５…コントロールパネル，１６…スキャン部，１７…印刷部，１８…個人特定認証部，１９…カメラ，２０…通信部，１４１…ログデータ保存部，１４２…認証結果データ保存部，１４３…ジョブ保存部，１７１…バッファ，１８１…認証部，１８２…モーションキャプチャ部，１８３…モーションデータ保存部，Ｔ…排紙トレー
【図１】
2006081147.tif 000003
【図２】
2006081147.tif 000004
【図３】
2006081147.tif 000005
【図４】
2006081147.tif 000006
【図５】
2006081147.tif 000007
【図６】
2006081147.tif 000008
【図７】
2006081147.tif 000009
【図８】
2006081147.tif 000010
【図９】
2006081147.tif 000011
【図１０】
2006081147.tif 000012
【図１１】
2006081147.tif 000013
【図１２】
2006081147.tif 000014
【図１３】
2006081147.tif 000015
【図１４】
2006081147.tif 000016
【図１５】
2006081147.tif 000017
【図１６】
2006081147.tif 000018
【図１７】
2006081147.tif 000019
【図１８】
2006081147.tif 000020
【図１９】
2006081147.tif 000021
【図２０】
2006081147.tif 000022
【図２１】
2006081147.tif 000023
【図２２】
2006081147.tif 000024
【図２３】
2006081147.tif 000025